(57)【要約】      （修正有）【課題】文字を入力する際に目線を中央に位置できるように、電子機器を載せるための支持板をキーボードの周縁の中央部へ横方向にスライドさせることができるキーボードを提供する。【解決手段】キーボード本体は、上ケース体１１０と下ケース体１２０を備える。上ケース体は、突出形成してなる第１のスライドレール１１１を備える。下ケース体は、突出形成してなる第２のスライドレール１１２を備える。スライド部２０は、長尺状の第１のスライドブロック２１と、第１のスライドブロックの長軸側から下向きに曲折して延伸してなる第２のスライドブロック２２と、を備える。第１のスライドブロックには第１のスライド溝が凹設される。第２のスライドブロックには第２のスライド溝２２０が凹設される。第１のスライドレールは第１のスライド溝にスライド可能に設置される。第２のスライドレールは第２のスライド溝にスライド可能に設置される。さらに、支持板３０は、スライド部２０に枢支回動可能に連結する。【選択図】図３
0003180694.tif 000002
【実用新案登録請求の範囲】
【請求項１】
キーボード本体と、
前記キーボード本体の一側にスライド可能に連結するスライド部と、
前記スライド部に枢支回動可能に連結する支持板と、
を含み、
前記キーボード本体は、上ケース体と下ケース体を備え、
前記上ケース体は、突出形成してなる第１のスライドレールを備え、
前記下ケース体は、突出形成してなる第２のスライドレールを備え、
前記スライド部は、長尺状の第１のスライドブロックと、前記第１のスライドブロックの長軸側から下向きに曲折して延伸してなる第２のスライドブロックと、を備え、
前記第１のスライドブロックには第１のスライド溝が凹設され、
前記第２のスライドブロックには第２のスライド溝が凹設され、
前記第１のスライドレールは前記第１のスライド溝にスライド可能に設置され、
前記第２のスライドレールは前記第２のスライド溝にスライド可能に設置される
ことを特徴とする支持板スライド構造を有するキーボード。
【請求項２】
前記上ケース体にはサブ上ケース体が凸設され、
前記下ケース体にはサブ下ケース体が凸設され、
前記サブ上ケース体と前記サブ下ケース体は、前記キーボード本体の同一側にあると共に、共同で電池収容槽を形成し、
前記スライド部は、前記サブ上ケース体と前記サブ下ケース体にスライド可能に連結する
ことを特徴とする請求項１に記載の支持板スライド構造を有するキーボード。
【請求項３】
前記サブ上ケース体の頂部には弾性ストッパ部が形成され、
前記第１のスライドブロックの底部には位置規制溝が凹設され、
前記弾性ストッパ部は前記位置規制溝に挿入される
ことを特徴とする請求項２に記載の支持板スライド構造を有するキーボード。
【請求項４】
前記第１のスライドブロックと前記第２のスライドブロックの曲折部位には支持溝が凹設され、
前記支持板の一側の両端部は、曲折延伸してなる凸部をそれぞれ有し、
２つの前記凸部の対向する方向には凸軸がそれぞれ形成され、
２つの前記凸軸は前記支持溝に枢支される
ことを特徴とする請求項３に記載の支持板スライド構造を有するキーボード。
【請求項５】
前記第２のスライドブロックには第３のスライド溝が凹設され、
前記第３のスライド溝は、前記支持溝と前記第２のスライド溝との間にあり、
前記サブ上ケース体には前記スライド部へ突出形成してなる第３のスライドレールが形成され、
前記第３のスライドレールは前記第３のスライド溝にスライド可能に設置される
ことを特徴とする請求項４に記載の支持板スライド構造を有するキーボード。
【請求項６】
前記第１のスライド溝、前記第２のスライド溝、前記第３のスライド溝及び前記支持溝はアルミニウム成型により前記スライド部に一体成形される
ことを特徴とする請求項５に記載の支持板スライド構造を有するキーボード。
【請求項７】
前記第１のスライド溝の断面は曲折状を呈し、
前記第２のスライド溝と前記第３のスライド溝の断面は、それぞれ弧状を呈する
ことを特徴とする請求項６に記載の支持板スライド構造を有するキーボード。
【請求項８】
前記位置規制溝の長さは、前記第１のスライドブロックの底面の長さの約１／２であることを特徴とする請求項７に記載の支持板スライド構造を有するキーボード。
【請求項９】
前記キーボード本体は、折り畳み式キーボード、長方型キーボード又はポータブル式キーボードであることを特徴とする請求項１に記載の支持板スライド構造を有するキーボード。
【考案の詳細な説明】
【技術分野】
【０００１】
本考案は、支持板スライド構造を有するキーボードに関するものであり、特にキーボードと支持板との間に設けられるスライド部を利用して支持板を上向きに開いて横方向にスライドさせることができる、支持板スライド構造を有するキーボードに関するものである。
【背景技術】
【０００２】
携帯電話やタブレットパーソナルコンピューター（Tablet Personal Computer、以下タブレットＰＣという）などのポータブル電子機器の多くは、タッチパネルを搭載しているため、タッチ方式で制御できる。タッチ方式で制御する操作方法は、ユーザーがグラフィカル・ユーザー・インターフェース（graphical user interface、ＧＵＩ）をタッチして操作しやすいというメリットがあるものの、大量な文字を入力する必要がある場合、タッチパネルにおける仮想キーボード（virtual keyboard）で文字を入力すると、入力速度が遅くて操作し難いというデメリットがある。そうした経緯を踏まえて、携帯電話やタブレットＰＣなどのポータブル電子機器用の様々なキーボードが開発されている。これらのキーボードの多くは、携帯電話やタブレットＰＣなどのポータブル電子機器を支持するための支持板を備えている。
【考案の概要】
【考案が解決しようとする課題】
【０００３】
しかしながら、従来のキーボードの支持構造は、キーボードの周縁に固定されるため、ユーザーの所望位置となるよう横方向にスライドできないこと、製造し難いこと、組立し難いこと、あまりよい支持効果を得られないことなどの欠点が存在する。
【０００４】
そこで、本考案の出願人は、上記の問題点を改善するために、鋭意検討を行なった結果、合理的な設計で且つ上記の問題点を有効に改善する本考案を完成するに至った。
【０００５】
本考案の目的は、ユーザーが文字を入力する際に頭を傾けることなく、ユーザーの目線が中央に位置できるように、電子機器を載せるための支持板をキーボードの周縁の中央部へ横方向にスライドさせることができる、支持板スライド構造を有するキーボードを提供することにある。また、本考案の他の目的は、支持板スライド構造の製造及び組立を容易に行ったり支持板スライド構造の支持効果を向上したりすることができる、支持板スライド構造を有するキーボードを提供することにある。
【課題を解決するための手段】
【０００６】
本考案に係る支持板スライド構造を有するキーボードは、キーボード本体と、キーボード本体の一側にスライド可能に連結するスライド部と、スライド部に枢支回動可能に連結する支持板と、を含む。キーボード本体は、上ケース体と下ケース体を備える。上ケース体は、突出形成してなる第１のスライドレールを備える。下ケース体は、突出形成してなる第２のスライドレールを備える。スライド部は、長尺状の第１のスライドブロックと、第１のスライドブロックの長軸側から下向きに曲折して延伸してなる第２のスライドブロックと、を備える。第１のスライドブロックには第１のスライド溝が凹設される。第２のスライドブロックには第２のスライド溝が凹設される。第１のスライドレールは第１のスライド溝にスライド可能に設置される。第２のスライドレールは第２のスライド溝にスライド可能に設置される。
【考案の効果】
【０００７】
本考案に係る支持板スライド構造を有するキーボードによれば、ユーザーが文字を入力する際に頭を傾けることなく、ユーザーの目線が中央に位置できる。また、本考案において、アルミニウム成型によりスライド部とスライド溝を一体成形することによって、支持板スライド構造の製造及び組立を容易に行ったり支持板スライド構造の支持効果を向上したりすることができる。
【図面の簡単な説明】
【０００８】
【図１】本考案に係る支持板スライド構造を有するキーボードの立体組立図を示すものである。
【図２】本考案に係る支持板スライド構造を有するキーボードの立体分解図を示すものである。
【図３】本考案に係る支持板スライド構造を有するキーボードの一部の立体分解図を示すものである。
【図４】本考案に係る支持板スライド構造を有するキーボードのスライド部の立体模式図を示すものである。
【図５】本考案に係る支持板スライド構造を有するキーボードのスライド部がキーボード本体にスライド可能に設置された状態の立体模式図を示すものである。
【図６】本考案に係る支持板スライド構造を有するキーボードのスライド部がキーボード本体にスライド可能に設置された状態の立体断面図を示すものである。
【図７】本考案に係る支持板スライド構造を有するキーボードのスライド部がキーボード本体にスライド可能に設置された状態の平面断面図を示すものである。
【図８】本考案に係る支持板スライド構造を有するキーボードが閉じた状態の立体模式図を示すものである。
【図９】本考案に係る支持板スライド構造を有するキーボードの支持板が上向きに開かれた状態の立体模式図を示すものである。
【図１０】本考案に係る支持板スライド構造を有するキーボードが開かれた状態の平面模式図を示すものである。
【図１１】本考案に係る支持板スライド構造を有するキーボードの支持板がキーボード本体の周縁の中央部に位置する場合の立体模式図を示すものである。
【考案を実施するための形態】
【０００９】
以下、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１０】
図１〜図５を参照しながら本考案に係る支持板スライド構造を有するキーボードを説明する。図１に示すように、本考案において、支持板スライド構造を折り畳み式キーボードに適用する。また、本考案において、キーボードは、折り畳み式キーボードに限定されておらず、例えば従来の長方型キーボード又はポータブル式キーボードなどのあらゆるキーボードであってもよい。
【００１１】
図１に示すように、本考案に係る支持板スライド構造を有するキーボードは、キーボード本体１０、スライド部２０及び支持板３０を含む。スライド部２０は、キーボード本体１０にスライド可能に連結する。支持板３０は、スライド部２０に枢支回動可能に連結する。本実施例において、キーボード本体１０は折り畳み式キーボードである。キーボード本体１０は、第１のキーボードユニット１１と第２のキーボードユニット１２に区分される。第１のキーボードユニット１１と第２のキーボードユニット１２とは互いに枢支し合う。第２のキーボードユニット１２は第１のキーボードユニット１１の上に折り畳まれることができる。
【００１２】
図２に示すように、キーボード本体１０の第１のキーボードユニット１１は、上ケース体１１０と下ケース体１２０を備える。上ケース体１１０の一側は、突出形成してなる第１のスライドレール１１１を有する。下ケース体１２０の一側は、突出形成してなる第２のスライドレール１１２を有する。
【００１３】
図３〜図５に示すように、スライド部２０は、Ｌ字形を呈する。スライド部２０は、長尺状の第１のスライドブロック２１と、第１のスライドブロック２１の長軸側から下向きに曲折して延伸してなる第２のスライドブロック２２と、を有する。第１のスライドブロック２１には第１のスライド溝２１０が凹設される。第２のスライドブロック２２には第２のスライド溝２２０が凹設される。第１のスライドレール１１１は第１のスライド溝２１０にスライド可能に設置される。第２のスライドレール１１２は第２のスライド溝２２０にスライド可能に設置される。スライド部２０は、金属成型により形成されたものである。好ましくは、スライド部２０は、アルミニウム成型により一体成形されたものである。スライド部２０は、均一な断面を有する。
【００１４】
上ケース体１１０には、サブ上ケース体１１３が凸設される。下ケース体１２０にはサブ下ケース体１１４が凸設される。サブ上ケース体１１３とサブ下ケース体１１４は第１のキーボードユニット１１の同一側にある。詳しく説明すると、第１のスライドレール１１１は、サブ上ケース体１１３の頂部から第１のスライドブロック２１の底部側へ突出形成してなる。サブ下ケース体１１４の一側にはスライドレールブロック１１５が凸設される。第２のスライドレール１１２は、スライドレールブロック１１５の上に位置すると共に、第２のスライドブロック２２側へ突出する。
【００１５】
図３に示すように、サブ上ケース体１１３とサブ下ケース体１１４は共同で電池収容槽１１６を形成する。スライド部２０は、第１のスライドレール１１１と第２のスライドレール１１２を介して、サブ上ケース体１１３とサブ下ケース体１１４にスライド可能に連結する。これにより、図５に示すように、スライド部２０は、移動方向Ａに沿ってキーボード本体１０に対してスライドする。
【００１６】
図３、図６、図７を参照しながら説明する。サブ上ケース体１１３の頂部には弾性ストッパ部１１７が設けられる。第１のスライドブロック２１の底部には位置規制溝２３０が凹設される。弾性ストッパ部１１７が位置規制溝２３０に差し込まれることによって、スライド部２０が移動方向Ａに沿ってスライドする距離を規制できると共に、スライド部２０の脱出を防ぐことができる。位置規制溝２３０の長さは、スライド部２０のスライド可能な距離であり、第１のスライドブロック２１の底面の長さの約１／２である。組立を行う時、スライド部２０をスライドレールに滑り込ませると、第１のスライドブロック２１の底部が弾性ストッパ部１１７を下方へ押圧し、弾性ストッパ部１１７が下方への押圧による弾性復帰力により位置規制溝２３０に復帰されることで組立が完了する。これにより、容易に組立を行うことができる。また、電池１１８が電池収容槽１１６の内部に収容された場合、電池１１８の端面が弾性ストッパ部１１７の底部に当接されるようになっているため、弾性ストッパ部１１７が断裂し難くなり、弾性ストッパ部１１７の支持力を強化することができる。
【００１７】
図３〜図５を参照しながら説明する。スライド部２０の第１のスライドブロック２１と第２のスライドブロック２２の曲折部位には支持溝２４０が凹設される。図３に示すように、支持板３０の一側の両端部は、曲折延伸してなる凸部３１をそれぞれ有する。２つの凸部３１の対向する方向には凸軸３１１がそれぞれ形成される。２つの凸軸３１１は支持溝２４０に枢支される。これにより、支持板３０はスライド部２０に枢支回動可能に連結する。支持板３０は、補助板３２とホルダー３３を更に含む。補助板３２とホルダー３３は支持板３０の一側面にそれぞれ枢設される。ホルダー３３は、所定の斜度で補助板３２に係止される。
【００１８】
図４に示すように、第２のスライドブロック２２には第３のスライド溝２５０が凹設される。第３のスライド溝２５０は、支持溝２４０と第２のスライド溝２２０との間にある。図５に示すように、サブ上ケース体１１３の側壁には第２のスライドブロック２２へ突出形成してなる第３のスライドレール１１９が形成される。第３のスライドレール１１９は第３のスライド溝２５０にスライド可能に設置される。サブ上ケース体１１３の頂部には第１のスライドレール１１１が形成される。サブ上ケース体１１３の側部には第３のスライドレール１１９が形成される。サブ下ケース体１１４にスライドレールブロック１１５が凸設される。第２のスライドレール１１２はスライドレールブロック１１５の上にある。これにより、スライド部２０はサブ上ケース体１１３とサブ下ケース体１１４にスライド可能に連結されると同時に、第１のスライドブロック２１と第２のスライドブロック２２はサブ上ケース体１１３とサブ下ケース体１１４を支持するようにしているため、支持板スライド構造を有するキーボードが落下した際に、サブ上ケース体１１３とサブ下ケース体１１３で形成された電池収容槽１１６（図３を参照）が外力の衝撃によって損傷することを防ぐことができる。
【００１９】
第１のスライド溝２１０、第２のスライド溝２２０、第３のスライド溝２５０及び支持溝２４０はスライド部２０に一体成形されるようにしているため、プラスチック材料を離型する場合に、適切な角度の抜き勾配（draft angle）をつけることなく、容易に成型できる。また、第１のスライド溝２１０の断面は曲折状を呈しており、第２のスライド溝２２０と第３のスライド溝２５０の断面はそれぞれ弧状を呈する。
【００２０】
図８〜図１１を参照しながら説明する。図８は、本考案に係る支持板スライド構造を有するキーボードが閉じた状態の立体模式図を示すものである。図９に示すように支持板スライド構造を有するキーボードを使用する時、キーボード本体１０の第２のキーボードユニット１２の底面に閉じられた支持板２０を上向きへ開くと共に、図１０に示すように第１のキーボードユニット１１に折り畳まれた第２のキーボードユニット１２を展開することによって、支持板スライド構造を有するキーボードが展開状態になる。また、図１１に示すように、支持板３０を移動方向に沿ってキーボード本体１０の側部の中央部までにスライドさせることによって、携帯電話やタブレットＰＣなどのポータブル電子機器を載せて使用する時、ユーザーが文字を入力する際に頭を傾けることなく、ユーザーの目線を中央に位置できる。また、支持板に載せた電子機器（例えばタブレットＰＣなど）の重量が重い場合、補助板３２を展開してホルダー３３により位置付けて固定することによって、補助の支持力を与えることができる。
【００２１】
上述したように、本考案に係る支持板スライド構造を有するキーボードによれば、アルミニウム成型によりスライド部とスライド溝を一体成形するため、適切な角度の抜き勾配をつけることなく、容易に成型できる。また、スライド部の第１のスライドブロックと第２のスライドブロックによりサブ上ケース体とサブ下ケース体で形成した電池収容槽を支持するため、電池収容槽を保護すると共に、電池収容槽の耐衝撃力を向上することができる。また、スライド部に凹設された位置規制溝と上ケース体に設けられた弾性ストッパ部により、スライド部の組立を容易に行うと共に、スライド部がスライドする時スライドレールから脱出することを防ぐことができる。
【００２２】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２３】
１０  キーボード本体
１１  第１のキーボードユニット
１２  第２のキーボードユニット
１１０  上ケース体
１２０  下ケース体
１１１  第１のスライドレール
１１２  第２のスライドレール
１１３  サブ上ケース体
１１４  サブ下ケース体
１１５  スライドレールブロック
１１６  電池収容槽
１１７  弾性ストッパ部
１１８  電池
１１９  第３のスライドレール
２０  スライド部
２１  第１のスライドブロック
２２  第２のスライドブロック
２１０  第１のスライド溝
２２０  第２のスライド溝
２３０  位置規制溝
２４０  支持溝
２５０  第３のスライド溝
３０  支持板
３１  凸部
３１１  凸軸
３２  補助板
３３  ホルダー
【図１】
0003180694.tif 000003
【図２】
0003180694.tif 000004
【図３】
0003180694.tif 000005
【図４】
0003180694.tif 000006
【図５】
0003180694.tif 000007
【図６】
0003180694.tif 000008
【図７】
0003180694.tif 000009
【図８】
0003180694.tif 000010
【図９】
0003180694.tif 000011
【図１０】
0003180694.tif 000012
【図１１】
0003180694.tif 000013